(57)【要約】【課題】軽量、コンパクトで、持ち運びが楽で、容易に天日干しすることができる吸湿マットを提供する。【解決手段】基材シートの間に吸湿層が形成されてなる吸湿シート１を、少なくとも２枚有する吸湿マット１００であって、一の吸湿シート１は、他の吸湿シート１と着脱可能な着脱部２を備える。【選択図】図１
0003210735.tif 000002
【実用新案登録請求の範囲】
【請求項１】
基材シートの間に吸湿層が形成されてなる吸湿シートを、少なくとも２枚有する吸湿マットであって、
一の吸湿シートは、他の吸湿シートと着脱可能な着脱部を備えることを特徴とする吸湿マット。
【請求項２】
前記吸湿層はシリカゲルを含有する
請求項１に記載の吸湿マット。
【請求項３】
前記着脱部は面ファスナーである
請求項１または２に記載の吸湿マット。
【請求項４】
前記吸湿マットは３枚の吸湿シートを備え、各吸湿シートは前記面ファスナーにより着脱可能である
請求項３に記載の吸湿マット。
【請求項５】
前記吸湿シートは矩形状であり、前記吸湿シートの長辺側に２箇所の面ファスナーを有し、対向する長辺側にも２箇所の面ファスナーを有し、前記面ファスナーにより、各吸湿シートは短手方向に並べて連結可能である
請求項４に記載の吸湿マット。
【請求項６】
前記吸湿シートは、吸湿センサーを備えている
請求項１〜５のいずれか一項に記載の吸湿マット。
【請求項７】
前記吸湿シートは、消臭機能を有する
請求項１〜６のいずれか一項に記載の吸湿マット。
【請求項８】
布団用吸湿マットである
請求項１〜７のいずれか一項に記載の吸湿マット。
【考案の詳細な説明】
【技術分野】
【０００１】
本考案は吸湿マットに関し、詳しくは布団用吸湿マットに関する。
【背景技術】
【０００２】
従来、布団用吸湿マットは、布団(敷布団)の下に敷いて布団からでる湿気等を除去するために使用されている（例えば、特許文献１）。
しかしながら、布団用吸湿マットは布団(敷布団)と同様の大きさであるため、布団用吸湿マットを天日干しする際には、布団１枚分のスペースが必要であり、かつ重いという問題がある。そのため、家の２階や３階にあるベランダなどで布団用吸湿マットを天日干しする際には、狭い階段などでの布団用吸湿マットの運搬が重労働で、特に高齢者にとっては大変な作業であった。
【先行技術文献】
【特許文献】
【０００３】
【特許文献１】特開平０６−３４３８１６号公報
【考案の概要】
【考案が解決しようとする課題】
【０００４】
本考案は、軽量、コンパクトで、持ち運びが楽で、容易に天日干しすることができる吸湿マットを提供することを目的とする。
【課題を解決するための手段】
【０００５】
本考案の吸湿マットは、基材シートの間に吸湿層が形成されてなる吸湿シートを、少なくとも２枚有する吸湿マットであって、一の吸湿シートは、他の吸湿シートと着脱可能な着脱部を備えることを特徴とする。
【考案の効果】
【０００６】
本考案によれば、吸湿マットは吸湿シート毎に着脱できるため、軽量、コンパクトである。そのため、場所を選ばず、持ち運びが楽で、ベランダなどで容易に天日干しすることができる。
【図面の簡単な説明】
【０００７】
【図１】本考案の一態様に係る吸湿マットを示す平面図である。
【図２】本考案の一態様に係る吸湿シートを示す平面図である。
【図３】本考案の一態様に係る吸湿シートの概略構成を示す断面図である。
【考案を実施するための形態】
【０００８】
＜概要＞
本考案の一態様に係る吸湿マットは、基材シートの間に吸湿層が形成されてなる吸湿シートを、少なくとも２枚有する吸湿マットであって、一の吸湿シートは、他の吸湿シートと着脱可能な着脱部を備えることを特徴としている。
【０００９】
この態様によれば、吸湿マットは吸湿シート毎に着脱できるため、軽量、コンパクトである。そのため、ベランダなどで天日干しする際にも、持ち運びが楽である。また、吸湿シート１枚分のスペースがあれば、室内や屋外など場所を選ばず天日干しすることができるため便利である。また、使用時には、吸湿シートを連結したり、取り外したりすることにより、布団用、玄関用、お風呂用、ベビーベッド用、押入れ用、クローゼット用、ペット用などの用途に合わせて使用することができる。
【００１０】
以下、本考案の一態様に係る吸湿マットについて、図面を参照して説明する。なお、本考案は、以下の実施形態に限定されるものではない。
【００１１】
１．全体構成
本実施形態の吸湿マット１００は、図１に示すように、３枚の吸湿シート１を短手方向に並べて連結部２により連結して構成されている。また、吸湿マット１００は、吸湿シート１毎に連結したり、取り外すことができるので、布団用、玄関用、お風呂用、ベビーベッド用、押入れ用、クローゼット用、ペット用などの用途に合わせて使用することができる。
【００１２】
２．吸湿シート
吸湿シート１は、図１及び図２に示すように、矩形状であり、四隅は丸まった形状をしている。吸湿シート１の外周面１ａは縁取りで補強されている。
【００１３】
吸湿シート１は可撓性で通気性を備え、内部に吸湿機能を有する材料を備えている。
【００１４】
吸湿シート１は、例えば、図３に示すように、基材シート１２と基材シート１３とが重ね合わせられ、その重ね合わせられた面１４，１５同士の間に、多数の粒状をなすシリカゲル１６が挟持されて吸湿層１１が形成されている。吸湿シート１は、例えば、基材シート１２と基材シート１３との間に、多数の粒状をなすシリカゲル１６を挟み、縫合や熱溶着などにより固定して吸湿層１１を形成することにより作製することができる。
【００１５】
２−１．基材シート
基材シート１２，１３は、特に限定はないが、通気性を備え、空気や湿分を透過可能なものが好ましく、例えば不織布、織布、編物などが用いられる。基材シート１２，１３の材質としては、例えば、ポリエチレンテレフタレート（ＰＥＴ）などのポリエステル樹脂、ポリプロピレン樹脂などの合成樹脂が使用できる。基材シート１２はウェブ１７の集合体であり、同じく基材シート１３はウェブ１８の集合体である。
【００１６】
２−２．吸湿層
吸湿層１１の材質は、吸湿機能を有するものであれば特に限定はなく、例えば、シリカゲルや、ゼオライト、トルマリンなどの天然多孔石、備長炭などの炭材や活性炭、パーライト、ケイ酸ソーダなどが挙げられる。これらは単独でもしくは２種以上併用することができる。これらのなかでも、吸湿機能や消臭機能に優れ、即効性がある点でシリカゲルが好適に用いられる。シリカゲルは水分の他に空気中に飛散する臭いの元であるアンモニア、トリメチルアミン、硫化水素、メルカプタンや、加齢臭の原因となるノネナールガスなども吸着し消臭機能をも有する。
【００１７】
吸湿層１１は、図３に示すように、基材シート１２，１３間において層状をなし、基材シート１２，１３の対向面１４，１５間に全体に亘り均一に分布してなる多数のシリカゲル１６の集合体である。シリカゲル１６を上下両側から矜持した状態において、基材シート１２，１３の対向面１４，１５は、図３において拡大して示すように、基材シート１２，１３の構成素材であるウェブ１７，１８により互いに縫合されている。
【００１８】
シリカゲル１６を固定するために、基材シート１２と基材シート１３との重合部分にはシリカゲル１６を上下両側から挟持した状態においてニードルパンチが複数箇所に亘って施されている。すなわち各ニードルパンチの箇所において基材シート１２と基材シート１３のウェブ１７，１８同士が機械的に絡み合うことにより、その絡み合った各箇所付近に基材シート１２と基材シート１３とが接合され固定されている。これにより、ウェブ１７，１８により対向面１４と対向面１５との間が縫合された基材シート１２と基材シート１３にてシリカゲル１６は層状をなしたまま移動不能に挟着保持されている。
【００１９】
シリカゲル１６の粒は、多数の微細貫通孔を備えており、高湿度雰囲気下では表面吸着又は毛細管現象により空気中の水分を吸収し、乾燥雰囲気下では吸収した水分を放出し得る機能を有している。そのため、かかる吸湿機能及び放湿機能を良好にするべく、本実施形態におけるシリカゲル１６には微細空間容積が０．５〜１．０ｍｌ／ｇ及び表面積が６５０〜３５０ｍ２／ｇの範囲内にあるものが採用されている。
【００２０】
また、微細貫通孔の孔径は３０〜１２０オングストロームのものが吸湿機能などを良好に発揮する上で好ましい。
【００２１】
このように、多数のシリカゲル１６の粒が基材シート１２と基材シート１３とに挟持されることで、高い吸湿性、防湿性、消臭性を長時間に亘って保つことができる。
【００２２】
吸湿シート１は、天日に干すと吸湿機能が再生し、繰り返し使用することができる。
【００２３】
吸湿シート１の寸法、形状は、特に限定はないが、矩形状が好ましく、通常、８０〜１００ｃｍ（長辺）×５０〜７０ｃｍ（短辺）×０．７〜０．９ｃｍ（厚み）であり、好ましくは９０ｃｍ（長辺）×６０ｃｍ（短辺）×０．８ｃｍ（厚み）である。吸湿シート１の長辺の寸法を、ふすまの半間と略同様の寸法とすることにより、押入れ用などに適した寸法にできる。
【００２４】
また、図１に示すように、吸湿シート１を３枚連結すると、大人用の布団と同様の大きさになり、布団用吸湿マット（大人用）に適した寸法にできる。さらに、吸湿シート１を２枚連結すると、子供用の布団と同様の大きさになり、布団用吸湿マット（子供用）に適した寸法にできる。
【００２５】
吸湿シート１の寸法が９０ｃｍ（長辺）×６０ｃｍ（短辺）×０．８ｃｍ（厚み）の場合、吸湿シート１の吸湿量は、約２６０ｍｌである。３枚の吸湿シート１を連結してなる吸湿マット１００の吸湿量は約７８０ｍｌである。
【００２６】
３．面ファスナー
吸湿シート１の長辺側には、面ファスナー２が左右各１箇所、合計２箇所設けられている。吸湿シート１の対向する長辺側にも、面ファスナー２が左右各１箇所、合計２箇所設けられている。したがって、吸湿シート１は合計４箇所の面ファスナー２を有する。
【００２７】
面ファスナー２とは、例えば一方２ａがフック状の起毛を有し、他方２ｂがループ状に密集した起毛を有し、両方を押し付けるとフック状の起毛とループ状に密集した起毛とが絡まって固定力を発現するものであり、人の力で自在に貼り付けたり剥がしたりすることができるものである。
【００２８】
一方の吸湿シート１の面ファスナー２ａと、他方の吸湿シート１の面ファスナー２ｂとを貼り付けることで、図１に示すように、３枚の吸湿シート１を、短手方向に並べて着脱可能に連結することができる。したがって、面ファスナー２は着脱部の役割を有することとなる。
【００２９】
４．吸湿センサー
吸湿センサー３は、例えば塩化コバルトを表面に所定量塗布したものである。塩化コバルトが無水の場合は青色であり、雰囲気中の湿度が増して二水和物となると紫色になり、さらに湿度が増えると六水和物となって桃色となる。この変色を人が視認することで吸湿の度合いを知ることができる。変色によって吸湿の具合が大きくなったと判断すれば、天日干しや乾燥機などの手段を用いて、色の変化を参考に乾燥させることができる。
【００３０】
吸湿センサー３を設ける位置については特に限定はないが、吸湿シート１の中央部ではなく、周辺部に設けることが好ましい。
【００３１】
５．用途
本実施形態の吸湿マットは、布団用、玄関用、お風呂用、ベビーベッド用、押入れ用、クローゼット用、ペット用などの用途に使用することができる。本実施形態の吸湿マットは、吸湿効果に優れるため、布団(敷布団)の下に敷いて布団マットとして使用すれば、布団からでる大量の湿気や布団にこもる嫌な蒸れを除去し、布団をサラットすることができる。また、体からでるイヤな臭い（汗の臭い・加齢臭）である酢酸ガス・ノネナールガスにわずか数十分で大きな消臭効果を発揮することができる。したがって、失禁などによるおしっこの臭い（アンモニアガス）にも効果がある。さらに、ベットや布団の湿気を調整する調湿効果も有し、シリカゲルの調湿機能によりカビやダニの発生を防ぐこともできる。また、シックハウスの原因であるホルムアルデヒド、トルエンなどのＶＯＣ（揮発性有機化合物）をすばやく吸着することもできる。
【００３２】
＜変形例＞
以上、一実施形態に係る吸湿マットを説明したが、本考案はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本考案に含まれる。
【００３３】
１．吸湿マット
実施形態の吸湿マット１００は、図１に示すように、３枚の吸湿シート１を連結しているが、吸湿シート１の数が２枚以上あれば限定はなく、使用目的に応じて２枚、４枚、５枚などに適宜変更することができる。例えば、吸湿シート１を３枚連結すれば大人用の布団用吸湿マット、２枚連結すれば子供用の布団用吸湿マットなどのように用途に応じて着脱可能である。なお、吸湿シート１を１枚で使用する場合は、押入れやクローゼットなどに使用することができる。このように、布団用、玄関用、お風呂用、ベビーベッド用、押入れ用、クローゼット用、ペット用などの用途に合わせて、吸湿シート１を連結・取り外すことができる。
【００３４】
２．吸湿シート
吸湿シート１は、基材シート１２と基材シート１３との間に吸湿層１１を形成したものに限定されず、基材シート１２、１３の片面もしくは両面に１層以上の層（表面層）を形成しても差し支えない。
【００３５】
また、吸湿層１１を構成するシリカゲル１６の固定は、ニードルパンチに限定されず、ホットメルト加工であってもよい。例えば、２枚の基材シートの間に粒状のシリカゲルを挟み込み、２枚の基材シートをエチレン酢酸ビニルなどの熱可塑性プラスチックを接着剤としてホットメルト加工することによって形成してもよい。
【００３６】
３．着脱部
吸湿シート１に対する面ファスナー２の取付け位置、個数については特に限定はない。
【００３７】
また、着脱部は面ファスナー２に限定されず、例えば、スナップボタン、ホックなどを使用することもできる。
【００３８】
４．吸湿センサー
実施形態の吸湿マット１００は、吸湿センサー３を有しているが、省略しても差し支えない。
【符号の説明】
【００３９】
１００  吸湿マット
１  吸湿シート
２  面ファスナー
１１  吸湿層
１２  基材シート
１３  基材シート
【図１】
0003210735.tif 000003
【図２】
0003210735.tif 000004
【図３】
0003210735.tif 000005